(57)【要約】【課題】トナー像を静電的に記録シートに転写する画像形成装置において、トナー像転写後の記録シートの姿勢を制御する。【解決手段】トナー像を担持する担持面を有する中間転写ベルト２２と、表面に所定の電圧が印加され、担持面に圧接されてニップを形成し、担持面の移動と同期して回動する円筒状の転写ローラ２４と、転写ローラ２４と略同寸の幅を有し、ニップの下流側に設けられ、接地またはバイアス電圧を印加された板状の剥離電極２７とを有し、剥離電極２７の転写ローラ２４の回転軸方向を法線とする面で切断した断面の形状は、剥離電極２７の一端が担持面と転写ローラ２４との接触点における接線よりも転写ローラ２４側に位置し、剥離電極２７の他端が接線よりも中間転写ベルト２２側に位置し、他端は一端よりも下流側に位置し、一端から他端にかけてニップ側に凸となるように湾曲している。【選択図】図２
2007219055.tif 000002
【特許請求の範囲】
【請求項１】
トナー像を担持する担持面を有するトナー像担持体と、
表面に所定の電圧が印加され、前記担持面に圧接されてニップを形成し、該担持面の移動と同期して回動する円筒状の転写ローラと、
前記転写ローラと略同寸の幅を有し、前記ニップの下流側に設けられ、接地またはバイアス電圧を印加された板状の電極と
を有し、
前記電極の前記転写ローラの回転軸方向を法線とする任意の断面の形状は、前記電極の一端が前記担持面と前記転写ローラとの接触点における接線よりも前記転写ローラ側に位置し、前記電極の他端が該接線よりも前記トナー像担持体側に位置し、該他端は該一端よりも下流側に位置し、該一端から該他端にかけて前記ニップ側に凸となるように湾曲している
ことを特徴とする画像形成装置。
【請求項２】
前記電極は、前記ニップに面した面に、前記転写ローラの回転軸に垂直な方向に沿って延在する複数の凸部を有することを特徴とする請求項１に記載の画像形成装置。
【請求項３】
前記凸部の頂部が尖った形状であることを特徴とする請求項２に記載の画像形成装置。
【請求項４】
前記電極は弾性を有することを特徴とする請求項１乃至３のいずれかに記載の画像形成装置。
【発明の詳細な説明】
【技術分野】
【０００１】
本発明は、画像形成装置に関する。
【背景技術】
【０００２】
電子写真方式を用いた画像形成装置においては、画像は例えば以下に示す手順に従って形成される。ここではフルカラー画像の形成について、図８を用いて説明する。まず、帯電器１１を用いて感光体ドラム（潜像担持体）２１の表面を一様に帯電させ、画像情報に基づいて露光器１２によって生成された露光用ビーム１２１を用いて感光体ドラム２１表面を露光する。これによって感光体ドラム２１表面に静電潜像が形成される。次に、現像器２６を用いて静電潜像にトナーを付着させることによって感光体ドラム２１表面にトナー像を形成する。ここで、感光体ドラム２１の１回転につき１色のトナー像が順次形成され、１回転毎にトナー像が中間転写ベルト２２表面に静電的に転写される。この動作を繰り返すことによって、例えば、イエロー、マゼンタ、シアン、ブラックの４色のトナー像を重ね合わせる（１次転写）。これによって、中間転写ベルト２２表面にフルカラーのトナー像が形成される。次に、このトナー像を一括して記録シート３表面に静電的に転写する（２次転写）。最後に、転写されたトナー像を定着器３０を用いて記録シート３表面に定着させる。
【０００３】
また、中間転写ベルト２２を用いることなく、感光体ドラム２１表面に形成されたトナー像を直接、記録シート３に転写する画像形成装置も知られている。
以下の説明においては、中間転写ベルト２２を用いた画像形成装置における中間転写ベルト２２、および、中間転写ベルト２２を用いない画像形成装置における感光体ドラム２１をともに「トナー像担持体」と称する。つまり、記録シート３に転写される直前のトナー像を担持する媒体をトナー像担持体と総称することとする。
【０００４】
ところで、トナー像を転写された記録シートはトナー像担持体から剥離させることが必要となる。このとき、記録シートのトナー像担持体からの剥離不良が発生することがあり、これが原因となって紙づまりなどの問題が発生することが知られている。この問題は、記録シートの厚さが非常に薄い場合、記録シートの腰が弱い（曲げ剛性が低い）場合、トナー像担持体の曲率半径が大きい場合などに発生しやすい。
【０００５】
上記の問題を解決するための手段として、記録シートへの転写が行われた直後に記録シートに対して何らかの静電的作用を与える方法が知られている。例えば、特許文献１に開示されている技術では、感光体ドラムに対向する側が尖状形状をした尖状電極が、感光体ドラムの幅方向にわたって感光体ドラムに対向して設けられている。さらに、尖状電極は、直流電圧を重畳した交流電圧を印加する手段に接続されている。これによって、感光体ドラムと尖状電極との間に放電が起こり、感光体ドラム表面の電荷が除電され、記録シートが感光体ドラムから剥離される。
【０００６】
また、特許文献２に開示されている技術では、記録シートを感光体ドラムに圧接するための部材（転写ローラ）に対して放電を行う。これによって、記録シートの電荷が除去されるので、感光体ドラムから記録シートをスムーズに剥離することができる。
また、特許文献３に開示されている技術では、転写ローラの記録シート排出側に、先端部分が転写ローラ側へ傾斜された導電性部材を設けている。これによって、トナー像転写後の記録シートは、導電性部材に印かされた記録シートと逆極性の電位によって吸引され、記録シートが剥離される。
【０００７】
特許文献１乃至３に開示された技術は、記録シートの剥離に関して一定の効果を有するが、実際には以下に示す問題が生じる。ここでは、中間転写ベルト表面に複数色のトナー像を重ねて形成し、このトナー像を記録シートに一括して転写するフルカラー画像形成装置における２次転写の例について、図８を用いて説明する。
転写ローラ２４は、中間転写ベルト２２を介して対向ローラ２５に均一に押し付けられるように、転写ローラ２４の両端部において等しい圧接力が与えられている。しかし、現実には、設計上許容される公差の範囲内で、あるいは場合によっては公差の範囲を超過して圧接力がばらつきを有している場合がある。さらに、転写ローラ２４および対向ローラ２５の外径もばらつきを有している場合がある。これらのことが原因となって、転写ローラ２４と対向ローラ２５とによって形成されるニップの圧接力は不均一なものとなることがある。特に、転写ローラ２４または対向ローラ２５、あるいはその両者が弾性体層を有している場合には、ニップ圧接力の不均一が生じやすくなる。
【０００８】
ニップ圧接力の不均一は、トナー像担持体あるいは転写ローラ２４からの記録シート３の剥離状態に影響を与える。例えば、記録シート３前端（搬送方向前側の先端）のうち一端（例えば、搬送方向左側）が先に剥離し、他端（例えば、搬送方向右側）が遅れて剥離する場合がある。すなわち、記録シート３前端の左右で剥離位置がすれる。記録シート３が剥離する際、ニップ直後における対向ローラ２５と記録シート３表側（トナー像が転写される面）との間、転写ローラ２４と記録シート３裏側との間においては放電が発生するのであるが、上記のように記録シート３前端の左右で剥離位置がずれた場合、記録シート３前端に沿って放電量にばらつきが生じ、その結果、記録シート３前端に沿って帯電量にばらつきが生じる。左右の一方が正に帯電し、他方が負に帯電するといった状況も生じ得る。
このように、ニップ圧接力の不均一に起因して記録シート前端の左右で剥離位置のずれが生じ、剥離位置のずれに起因して記録シート前端に沿って帯電量にばらつきが生じる。
【０００９】
ところで、前述したとおり、特許文献３の技術では、図８に示すように転写ローラ２４の記録シート３排出側近傍に導電性部材である剥離電極１２７が設けられている。剥離電極１２７の先端には、記録シート３が直接接触しないように記録シート３との離間距離を維持するための部材が設けられている（図示省略）。これによって記録シート３は、トナー像転写後、剥離電極１２７の近傍を一定の距離だけ離間して通過する。ここで、剥離電極１２７には正の電圧が、記録シート３は全体として負に帯電しているものとする。すると、記録シート３は剥離電極１２７に静電的に引き寄せられるとともに、放電によって記録シート３が除電される。しかし、上述したニップ圧接力の不均一に起因して記録シート３前端の帯電量にばらつきが生じると、負に帯電した側は剥離電極１２７から静電的な引力を受けて引き寄せられ、正に帯電した側は剥離電極１２７から静電的な斥力を受けて引き離されることになる。あるいは、同極性であっても帯電量にばらつきがあると、剥離電極１２７からの引力の大きさにばらつきが生じる。このような場合、記録シート３は搬送路に対して傾斜した姿勢となり、傾斜した姿勢のままガイド２８、２９を通過して定着器３０に進入する。この結果、定着器３０内部のニップにおいて記録シート３にしわが発生したり、記録シート３がつまったりする。
【特許文献１】特開昭６１−０２６０６８号公報
【特許文献２】特開平０６−２３０６８１号公報
【特許文献３】特開平１０−０３９６３９号公報
【発明の開示】
【発明が解決しようとする課題】
【００１０】
本発明は、上述した背景の下になされたものであり、トナー像を静電的に記録シートに転写する画像形成装置において、トナー像転写後の記録シートの姿勢を制御することのできる技術の提供を目的とする。
【課題を解決するための手段】
【００１１】
上述の課題を解決するために、本発明は、トナー像を担持する担持面を有するトナー像担持体と、表面に所定の電圧が印加され、前記担持面に圧接されてニップを形成し、該担持面の移動と同期して回動する円筒状の転写ローラと、前記転写ローラと略同寸の幅を有し、前記ニップの下流側に設けられ、接地またはバイアス電圧を印加された板状の電極とを有し、前記電極の前記転写ローラの回転軸方向を法線とする任意の断面の形状は、前記電極の一端が前記担持面と前記転写ローラとの接触点における接線よりも前記転写ローラ側に位置し、前記電極の他端が該接線よりも前記トナー像担持体側に位置し、該他端は該一端よりも下流側に位置し、該一端から該他端にかけて前記ニップ側に凸となるように湾曲していることを特徴とする画像形成装置を提供する。
上記の画像形成装置によれば、ニップを通過した記録シートの前端は電極に均一に接触しながらニップ下流方向へと搬送される。これによって、記録シートは、前端より後方の部分が電極と均一に接触しながら搬送されていく。
【発明の効果】
【００１２】
本発明によれば、記録シートの電荷が一様に除電され、記録シートの姿勢に傾斜が生じることがない。従って、トナー像転写に後続する工程において、記録シートにしわが発生したりつまったりすることを防止することができる。
【発明を実施するための最良の形態】
【００１３】
以下、図面を参照して、本発明の実施形態について説明する。
図１は、本発明の実施形態における画像形成装置１の全体構成を示す図である。本実施形態においては、複写機の例を用いて説明を行うが、本発明は、複写機に限らず、プリンタ、ファクシミリ装置、あるいはこれらの機能を兼ね備えた複合機等にも適用可能である。
画像形成装置１は、ＣＰＵ（Central Processing Unit）５１、ＲＯＭ（Read Only Memory）５２、ＲＡＭ（Random Access Memory）５３等からなる制御部５０を有し、ＲＯＭ５２に格納されているＯＳ（Operating System）プログラムをＣＰＵ５１が実行することによって画像形成装置１各部の制御を行う。
【００１４】
記憶部５５は、ハードディスク装置等の不揮発性メモリである。記憶部５５には、原稿の読み取りや画像形成の手順を記述したプログラム等が記憶されている。
指示入力部６０は、テンキー、スタートボタン等からなるキーボード６１、液晶パネルからなるタッチパネル６２を備えており、画像形成装置１に対する指示をユーザが入力することができる。
タッチパネル６２は、１以上のメニュー項目を配置したメニュー画像を表示し、メニュー項目のいずれかがユーザの指先等によって接触されたことを検知するセンサを有している。そして、メニュー項目への接触がセンサによって検知されることによって、メニュー項目の指定を表す情報がＲＡＭ５３に書き込まれるようになっている。
【００１５】
ユーザが入力する指示とは、例えば、用紙のサイズの指定、画像の拡大率／縮小率の指定、片面／両面コピーの指定などである。また、タッチパネル６２には、画像形成装置１の状態に関する情報を表示することができ、原稿の読み取り及び画像形成の処理中であることを示す情報、画像形成が完了したことを示す情報などが表示される。指定されたメニュー項目は表示が白黒反転し、指定されたメニュー項目をユーザが目視確認できるようになっている。また、複写の部数の数値がテンキーによって入力されると、その数値が表示されるようになっている。
【００１６】
給紙トレイ６５には画像を形成するための記録シート３が収容される。ユーザが指示入力部６０により複写の指示を入力すると、給紙トレイ６５から記録シート３が１枚ずつ送り出される。
画像入力部６７は、原稿を光学的に読み取って画像データを生成するスキャナ装置である。画像入力部６７は、原稿に対して光を照射し、反射光を電気信号に変換し、例えばイエロー、マゼンタ、シアン、ブラックの各色からなる画像データを生成する。
【００１７】
図２は画像形成部７０の構成を示す図である。画像形成部７０は、静電潜像が形成される像担持体としての感光体ドラム２１の周囲に、帯電器１１、露光器１２、現像器２６、クリーナ１４等を設けて構成されている。
帯電器１１は、矢印Ａの方向に回転駆動される感光体ドラム２１の表面を所定の電位に帯電させる。本実施形態では、感光体ドラム２１表面が一様に−５００ボルトの電位となるように、帯電器１１の電圧が調整されている。
【００１８】
露光器１２は、レーザー光照射機能を備えたＲＯＳ（Raster Output Scanner）である。露光器１２は、画像データに基づいて露光用ビーム１２１を生成し、この露光用ビーム１２１を偏向走査することにより感光体ドラム２１の表面に静電潜像を形成する。感光体ドラム２１の表面では、露光用ビーム１２１が照射された部分の電位が所定のレベルまで減少する。このように、感光体ドラム２１の表面電位を変化させることにより、感光体ドラム２１の表面に画像データに基づいた静電潜像が形成される。
【００１９】
現像器２６は、感光体ドラム２１表面に形成された静電潜像を顕像化する装置である。トナータンク（図示省略）には各色のトナー（帯電色材）が収容されており、所定量のトナーが現像器２６に供給される。現像器２６は、このトナーを感光体ドラム２１表面に供給し、静電潜像に付着させることによってトナー像を形成する。本実施形態における現像器２６は、イエロー、マゼンタ、シアン、ブラックの各色の現像を行うための現像器を一体化したロータリー現像器である。現像器２６は１色分の現像を行うたびに所定の方向に９０度だけ回転し、順次、各色の現像を行うようになっている。
【００２０】
中間転写ベルト２２は、ローラ２２１、２２２、２２３および対向ローラ２５によって張架されており、矢印Ｂの方向に循環駆動される。感光体ドラム２１の下方には、中間転写ベルト２２を挟むように１次転写ローラ２３が設けられており、１次転写ローラ２３は所定の圧接力にて中間転写ベルト２２を介して感光体ドラム２１に圧接され、ニップを形成している（１次転写部）。また、１次転写ローラ２３には、所定の電圧が印加されている。本実施形態では、常時１３μＡの電流が電源に流れ込むように電圧が調整されている。感光体ドラム２１表面に形成されたトナー像は、１次転写ローラ２３に印加された電圧による電界および圧接力の作用によって、中間転写ベルト２２表面に転写される（１次転写）。
【００２１】
クリーナ１４は、１次転写後に感光体ドラム２１表面に残存したトナーを除去する装置である。
イエロー、マゼンタ、シアン、ブラックの各色ごとに、上述した帯電、露光、現像、１次転写の工程が行われる。第１色の１次転写の後、中間転写ベルト２２はちょうど１周し、第１色のトナー像に第２色のトナー像が重ね合わせられる。第３色、第４色についても同様である。このようにして、中間転写ベルト２２表面にはフルカラーのトナー像が形成される。
【００２２】
対向ローラ２５の下方には、中間転写ベルト２２を挟むように２次転写ローラ２４が設けられている。中間転写ベルト２２表面にフルカラーのトナー像が形成されるまでの間、２次転写ローラ２４は中間転写ベルト２２から所定の距離だけ離間している。
中間転写ベルト２２表面にフルカラーのトナー像が形成されると、給紙トレイ６５から記録シート３が送り出される。２次転写ローラ２４には所定の電圧が印加されている。本実施形態ではこの電圧は２５００ボルトである。中間転写ベルト２２は矢印Ｂの方向に循環駆動され、その表面のトナー像が２次転写ローラ２４近傍に接近するのと同期して、２次転写ローラ２４が所定の圧接力にて中間転写ベルト２２を介して対向ローラ２５に圧接され、ニップを形成する（２次転写部）。そして、このニップに記録シート３が進入する。中間転写ベルト２２表面に形成されたトナー像は、２次転写ローラ２４に印加された電圧による電界および圧接力の作用によって、記録シート３表面に転写される（２次転写）。
【００２３】
ここで、記録シート３の帯電状態と、剥離電極２７と記録シート３との間で発生する放電の関係について説明する。記録シート３は２次転写部のニップを通過した直後、中間転写ベルト２２および２次転写ローラ２４との間の放電によって記録シート３の表側（中間転写ベルト２２に接し、トナー像が転写される面）、裏側（２次転写ローラ２４に接する面）がそれぞれ帯電している。２次転写プロセスにおいて、転写ローラ２４側に正の電圧が印加され、対向ローラ２５側に負の電圧が印加されて（または接地されて）いるとすると、排出される記録シート３の表側が負に、裏側が正に帯電する。この帯電量のバランスは、記録シート３の剥離位置のずれに大きく依存する。図５は、記録シート３の剥離位置のずれが生じた様子を示す図である。同図では、記録シート３が２次転写ローラ２４よりも中間転写ベルト２２から早く離れた場合を示している。この場合、記録シート３は表側の負電荷の量が裏側の正電荷の量よりも多くなるため、記録シート３は全体として負に帯電する。剥離位置のずれが大きいほど、表側、裏側の電荷量の差は大きくなる。２次転写ローラ２４と対向ローラ２５の位置関係や圧接力が軸方向（ここで「軸」とは、２次転写ローラ２４および対向ローラ２５の軸を指す）に均一に設定されていなければ、記録シート３の剥離位置が軸方向でばらつくことになり、これが記録シート３の軸方向の帯電分布をばらつかせるため、結果として、記録シート３の姿勢に影響をあｔあえる要因となる。
【００２４】
本実施形態において、２次転写ローラ２４に印加される電圧は２５００ボルトであり、対向ローラ２５は接地されている。この場合、２次転写部におけるニップ近傍、特にニップ直後における放電によって記録シート３は裏側が正に、表側が負に帯電する。記録シート３裏側の放電が表側に比較して大きい場合、記録シート３は全体として正に帯電し、記録シート３裏側の放電が表側に比較して小さい場合、記録シート３は全体として負に帯電することになる。表側、裏側それぞれの放電の大小は、ニップ近傍の幾何学的条件に大きく依存する。例えば、２次転写ローラ２４の対向ローラ２５方向への圧接力が軸方向に分布を持っている場合について検討する。ここで、２次転写ローラ２４と対向ローラ２５の外径はともにφ３０ｍｍであり、さらに、２次転写ローラ２４の硬度は１５ｋｇ／ｃｍ２、対向ローラ２５の硬度は３０ｋｇ／ｃｍ２である。このような構成では、記録シート３は図５に示したように、相対的に硬い対向ローラ２５側から表側が先に剥離し、その後に、相対的に軟らかい２次転写ローラ２４から裏側が剥離する。この場合、ニップ直後に発生する放電は、先に剥離した表側でより多く、裏側でより少なくなる。表側の放電によって記録シート３は正の電荷を奪われ、裏側の放電によって記録シート３は正の電荷を受け取るため、表側の放電が多い場合においては、記録シート３は全体として負に帯電する。
【００２５】
この負帯電の大きさは、剥離位置のずれの大きさに依存している。例えば、２次転写ローラ２４は対向ローラ２５側へ圧接されており、本来その圧接力は両端で等しく設定されるべきである。しかし、実際に画像形成装置１が組み立てられた段階では、片方の端部ともう一方の端部で圧接力は完全に等しくならないことがあり、そのばらつきによって記録シート３の剥離位置のずれが軸方向で変化するようになる。また、２次転写ローラ２４と対向ローラ２５の軸は本来水平かつ互いに平行に設けられるべきであるが、現実には完全には水平かつ平行になっていないことがあり、ぞの場合にも記録シート３の剥離位置のずれが軸方向で変化する。このように様々な要因で記録シート３の剥離位置のずれは、軸方向に分布を持っている。剥離位置のずれは、既に説明したように、記録シート３表側と裏側の放電量のバランスに影響し、結果として、記録シート３の帯電電荷量の軸方向における分布をもたらす。ここで、剥離位置のずれの大小が記録シート３の帯電量に及ぼす影響を数値計算により求めた結果を示す。図６には、剥離位置ずれ量が０．３ｍｍの場合、図７には剥離位置ずれ量が０．１ｍｍの場合の記録シート帯電量の計算結果を示す。計算方法は、幾何学形状の時間変化と放電／導電電流を含む一次元非定常の電界解析である。計算条件として用いた各部材の物性値パラメータを表１に示す。
【表１】
2007219055.tif 000003
【００２６】
図６および図７からわかるように、２次転写部通過後の記録シートの帯電電荷密度は、剥離位置ずれ量が大きい場合に負により大きくなり、剥離位置ずれ量が小さい場合に小さくなる。前者では、２次転写部通過後の記録シート３の電荷密度σ＝−５．４×１０−５Ｃ／ｍ２であり、後者ではσ＝−１．９×１０−５Ｃ／ｍ２である。このように剥離位置のずれの大小は記録シート３の帯電状態に大きく影響する。
【００２７】
このように２次転写部のニップ圧接力の不均一に起因して、記録シート３前端の放電量にばらつきが生じると、その結果、帯電量にばらつきが生じる。左右の一方が正に帯電し、他方が負に帯電するといった状況も生じ得る。その結果、負に帯電した側は剥離電極２７から静電的な引力を受けて引き寄せられ、正に帯電した側は剥離電極２７から静電的な斥力を受けて引き離されることになる。あるいは、同極性であっても帯電量にばらつきが生じると、剥離電極２７からの引力の大きさにばらつきが生じる。このような場合、記録シート３は傾斜した姿勢となり、傾斜した姿勢のままガイド２８、２９を通過して定着器３０に到達する。この結果、定着器３０内部のニップにおいて記録シート３にしわが発生したり、記録シート３がつまったりする。
【００２８】
そこで、本発明にかかる画像形成装置１では、以下に述べる剥離電極２７を設ける構成とした。
図３（ａ）は剥離電極２７の斜視図、図３（ｂ）は図３（ａ）におけるＥ−Ｅ’断面図である。剥離電極２７は、プレート状の金属板の片側に、記録シート３搬送方向に沿うように凹凸が形成されており、凸部の頂部が尖った形状となっている。剥離電極２７には正の電荷が印加されている。
【００２９】
図４は、２次転写部の、２次転写ローラ２４の回転軸方向を法線とする任意の面で切断した断面の形状を表す図である。剥離電極２７は２次転写部のニップの下流側に設けられている。ここで、一点鎖線ＣＤは、対向ローラ２５と２次転写ローラ２４との接触点における接線である。剥離電極２７の一端２７１は、接線ＣＤよりも２次転写ローラ２４側に位置し、他端２７２は、接線ＣＤよりも対向ローラ２５側に位置する。そして、剥離電極２７の他端２７２は一端２７１よりも記録シート３搬送方向下流側に位置し、一端２７１から他端２７２にかけてニップ側に凸となるよう緩やかに湾曲させて形成されている。
【００３０】
図４に示すように湾曲した形状の剥離電極２７を設けたことによって、２次転写部のニップを通過した記録シート３の前端は剥離電極２７に均一に接触しながらニップ下流方向へと搬送される。これによって、記録シート３は、前端より後方の部分が剥離電極２７と均一に接触しながら搬送されていく。従って、また、記録シート３の電荷が一様に除電され、記録シート３の姿勢に傾斜が生じることがない。また、剥離電極２７の凸部頂部が尖った形状となっていることによって、頂部近傍に強い不平等電界が発生し、剥離電極２７上方を通過する記録シート３との間で放電が発生しやすくなる。
【００３１】
トナー像が転写された記録シート３は、姿勢の傾斜を生じることなくガイド２８に進入し、ガイド２８、２９によって定着器３０に導かれる。定着器３０においては、記録シート３に対して加圧および加熱が施され、トナー像が記録シート３に定着される。定着器３０内部では、搬送されてきた記録シート３は傾斜のない正常な姿勢でニップ部に進入するから、記録シート３にしわが生じたりつまったりすることを防止することができる。
トナー像が定着された記録シート３は、最後に排紙トレイ６６に排出される。
【００３２】
＜変形例＞
以上説明した形態に限らず、本発明は種々の形態で実施可能である。例えば、上述の実施形態を以下のように変形した形態でも実施可能である。
【００３３】
上述の実施形態では剥離電極２７の記録シート３搬送方向に沿った凸部の頂部が尖った形状である例を示したが、凸部の頂部は尖った形状でなくてもよい。剥離電極２７が記録シート３搬送方向に沿った凹凸を有していることによって、剥離電極２７と記録シート３との間で放電が発生しやすくなるという効果が得られる。凸部の頂部が尖った形状であることによって、より放電が発生しやすくなることは言うまでもない。
剥離電極２７は、一体成形された金属板であってもよいし、電極を一定間隔で複数並べて構成されていてもよい。
【００３４】
剥離電極２７の材質は、弾性を有するものを使用することも好ましい。例えば、カーボンを分散したポリイミドシート等を用いてもよい。剥離電極２７が弾性を有することによって、記録シート３の前端が剥離電極２７に接触する際の衝撃が緩和されるから、記録シート３のジャムや前端の損傷を防止することができるようになる。
【００３５】
剥離電極２７は接地されていてもよいし、バイアス電圧を印加されていてもよい。いずれの場合も、記録シート３の電荷を除電する効果が得られる。
【図面の簡単な説明】
【００３６】
【図１】本発明の実施形態における画像形成装置１の全体構成を示す図である。
【図２】画像形成部７０の構成を示す図である。
【図３】剥離電極２７の構成を示す図である。
【図４】２次転写部を２次転写ローラ２４の回転軸方向から見た図である。
【図５】記録シート３の剥離位置のずれが生じた様子を示す図である。
【図６】剥離位置ずれ量が０．３ｍｍの場合の記録シート帯電量を示す図である。
【図７】剥離位置ずれ量が０．１ｍｍの場合の記録シート帯電量を示す図である。
【図８】従来の画像形成装置の構成を示す図である。
【符号の説明】
【００３７】
１…画像形成装置、５１…ＣＰＵ、５２…ＲＯＭ、５３…ＲＡＭ、５０…制御部、５５…記憶部、６０…指示入力部、６１…キーボード、６２…タッチパネル、６５…給紙トレイ、３…記録シート、６７…画像入力部、７０…画像形成部、２１…感光体ドラム、１１…帯電器、１２…露光器、２６…現像器、１４…クリーナ、１２１…露光用ビーム、２２…中間転写ベルト、２２１、２２２、２２３…ローラ、２５…対向ローラ、２３１…次転写ローラ、２４２…次転写ローラ、６５…給紙トレイ、２７…剥離電極、２７１…一端、２７２…他端、２８、２９…ガイド、３０…定着器、６６…排紙トレイ。
【図１】
2007219055.tif 000004
【図２】
2007219055.tif 000005
【図３】
2007219055.tif 000006
【図４】
2007219055.tif 000007
【図５】
2007219055.tif 000008
【図６】
2007219055.tif 000009
【図７】
2007219055.tif 000010
【図８】
2007219055.tif 000011